(57)【要約】【課題】米糠が貯蔵される米糠貯蔵容器内に発生する虫の発生個体数を効果的に抑止することができる米糠貯蔵機を提供する。【解決手段】米糠貯蔵機１０は、米糠ＲＢが貯蔵される米糠貯蔵容器１１と、オゾンを生成するオゾン装置１２とを備える。オゾン装置１２は、商用電源から供給される商用電力を昇圧し高圧電力を出力する高圧電源ユニット１３と、高圧電源ユニット１３からの高圧電力によりオゾンを生成するオゾン生成ユニット１４とを備える。米糠貯蔵容器１１には、オゾン装置１２により生成されたオゾンが流入する。このように、オゾン装置１２により生成されたオゾンが米糠貯蔵容器１１に流入することにより、米糠が貯蔵される米糠貯蔵容器１１内に発生する虫の発生個体数を効果的に抑止することができる。【選択図】図１
2015128759.tif 000002
【特許請求の範囲】
【請求項１】
商用電源から供給される商用電力を昇圧し高圧電力を出力する高圧電源ユニットと、前記高圧電源ユニットからの高圧電力によりオゾンを生成するオゾン生成ユニットとを有するオゾン装置と、
前記オゾン装置により生成されたオゾンが流入する米糠貯蔵容器と、
を備えることを特徴とする米糠貯蔵機。
【請求項２】
請求項１に記載の米糠貯蔵機を備えることを特徴とする精米設備。
【発明の詳細な説明】
【技術分野】
【０００１】  この発明は、米糠貯蔵機およびこの米糠貯蔵機を備える精米設備に関わる。
【背景技術】
【０００２】  精米設備は、玄米貯蔵容器、精米機、白米貯蔵容器および米糠貯蔵容器を備える（例えば、特許文献１）。玄米貯蔵容器から搬送される玄米は、精米機で精米されるとともに白米と米糠とに分別される。そして、精米機で分別された白米と米糠はそれぞれ白米貯蔵容器および米糠貯蔵容器に貯蔵される。
【先行技術文献】
【特許文献】
【０００３】
【特許文献１】  特開２０１３−２４０７５３号公報
【発明の概要】
【発明が解決しようとする課題】
【０００４】  ここで、米糠が貯蔵される米糠貯蔵容器内には、とりわけ夏場の高温時に多数の虫が発生する。この米糠貯蔵容器内で発生する虫には羽虫もあり、この羽虫は、白米が貯蔵された白米貯蔵容器内に伝搬し進入するおそれがある。そして、白米貯蔵容器内に羽虫が進入すると白米に羽虫が混在することとなり白米の品質を低下する原因となる。【０００５】  そこで、この発明は、上述した事情に鑑みてなされたものであって、米糠が貯蔵される米糠貯蔵容器内に発生する虫の発生個体数を効果的に抑止することができる米糠貯蔵機を提供することである。
【課題を解決するための手段】
【０００６】  上記の課題を解決するために、本発明の米糠貯蔵機は、米糠が貯蔵される米糠貯蔵容器と、オゾンを生成するオゾン装置とを備える。オゾン装置は、商用電源から供給される商用電力を昇圧し高圧電力を出力する高圧電源ユニットと、高圧電源ユニットからの高圧電力によりオゾンを生成するオゾン生成ユニットとを備える。そして、米糠貯蔵容器には、オゾン装置により生成されたオゾンが流入する。
【発明の効果】
【０００７】  オゾンには、防虫および殺虫効果があり、このように、オゾン装置により生成されたオゾンが米糠貯蔵容器に流入することにより、米糠が貯蔵される米糠貯蔵容器内に発生する虫の発生個体数を効果的に抑止することができる。
【図面の簡単な説明】
【０００８】
【図１】  本発明の実施形態における精米設備の外観図である。
【図２】  図１にて範囲Ａで示す米糠貯蔵機の要部断面図である。
【発明を実施するための形態】
【０００９】  次に、この発明の米糠貯蔵機およびこの米糠貯蔵機を備える精米設備の実施形態を図１および図２に基づき説明する。
【００１０】  図１に示すように、精米設備１は、玄米貯蔵容器２、精米機５、白米貯蔵容器７および米糠貯蔵機１０を備える。玄米貯蔵容器２に貯蔵された玄米は、玄米貯蔵容器２から仕切り弁３で流出制御され、第１送路４を介して精米機５に搬送される。精米機５に搬送された玄米は精米機５で精米されるとともに白米ＰＲと米糠ＲＢとに分別される。そして、精米機５で分別された白米ＰＲと米糠ＲＢはそれぞれ第２および第３送路（６，８）を介して白米貯蔵容器７および米糠貯蔵機１０に搬送され貯蔵される。
【００１１】  次に、図１および図２に基づき米糠貯蔵機１０について説明する。
【００１２】  米糠貯蔵機１０は、米糠ＲＢが貯蔵される米糠貯蔵容器１１およびオゾンを生成するオゾン装置１２を備える。オゾン装置１２は、商用電源ＰＳから供給される商用電力を昇圧し高圧電力を出力する高圧電源ユニット１３と、高圧電源ユニット１３からの高圧電力によりオゾンを生成するオゾン生成ユニット１４とを備える。
【００１３】  高圧電源ユニット１３は、商用電源ＰＳに接続されるコンセント１３ａと、昇圧回路１３ｂと、整流回路１３ｃと、コンデンサ１３ｄと、抵抗１３ｅを備える。昇圧回路１３ｂでは商用電源ＰＳからの交流電力が昇圧され、高電圧の交流電力が生成される。そして、昇圧回路１３ｂで生成された高電圧の交流電力は、整流回路１３ｃにて直流に整流される。本実施形態では、整流回路１３ｃにおいて、端子Ｐ１は正極（＋）、端子Ｐ２は負極（−）に設定される。そして、正極端子Ｐ１は接地ＧＮＤに接続される。また、両端子（Ｐ１，Ｐ２）には電圧を安定させる素子としてコンデンサ１３ｄが接続される。さらに、負極端子Ｐ２には電流制限抵抗１３ｅが接続される。
【００１４】  オゾン生成ユニット１４は、ケースＣと、ファン１４ｂと、保持部材１４ｃと、第１電極部材としての複数の金属針１４ｄと、第２電極部材としてディスク形状の金網１４ｆとを備える。
【００１５】  ケースＣの底面には金網１４ｆが配置される。金網１４ｆの上方にはハニカム形状の保持部材１４ｃが配置され、この保持部材１４ｃに複数の金属針１４ｄが互いに所定の距離を隔ててそれぞれ上下方向の向きに揃えられて配置される。ここで、金属針１４ｄの端部の尖った先端部１４ｅは、金網１４ｆに対し所定の距離を隔てて配置される。なお、各金属針１４ｄ間の所定の距離と、先端部１４ｅと金網１４ｆ間の所定の距離とは、略等しくなるのが望ましい。そして、金属針１４ｄは抵抗１３ｅを間に介して負極端子Ｐ２に接続され、金網１４ｆは負極端子Ｐ２に接続される。
【００１６】  そして、金属針１４ｄと金網１４ｆに高電圧（例えば、数〜数十ｋＶ）の高圧電力が供給されると、金属針１４ｄの先端部１４ｅと金網１４ｆとの間にはコロナ放電現象が形成される。そして、このコロナ放電現象により近隣の空気中の酸素の一部がオゾンとなる。
【００１７】  ここで、ケースＣの上下面には流出入孔（１４ａ，１４ｇ）が形成されるとともに、オゾン生成ユニット１４で生成されたオゾンが米糠貯蔵容器１１に効果的に流入するように、ケースＣの上面にはファン１４ｂが設けられている。そして、流出孔１４ｇから流出するオゾンは米糠貯蔵容器１１の流入孔１１ａから米糠貯蔵容器１１内に流入される。
【００１８】  本実施の形態においては、上記のように負極端Ｐ２と金属針１４ｄとの間には抵抗１３ｅが直列配置されている。この抵抗１３ｅが設けられることにより、金属針１４ｄの先端部１４ｅと金網１４ｆとの間に流れる電流（電子の移動）の電流値を低く抑えることができる。そのため、先端部１４ｅと金網１４ｆとの間に火花放電現象が形成されるのを未然に防止することができる。仮に上記の火花放電現象が先端部１４ｅと金網１４ｆに形成された場合、それらに金網１４ｆに近接しうる米糠の燃焼が懸念されるが、本実施の形態では、この米糠の燃焼を防止することができる。
【００１９】  なお、本発明は上述の実施形態に限られるものではなく、本発明の趣旨を逸脱しない範囲において、上述の実施形態に種々の変更を加えたものを含む。
【符号の説明】
【００２０】１…精米設備
２…玄米貯蔵容器
３…仕切り弁
４…第１送路
５…精米機
６…第２送路
７…白米貯蔵容器
８…第３送路
１０…米糠貯蔵機
１１…米糠貯蔵容器
１２…オゾン装置
１３…高圧電源ユニット
１３ａ…コンセント
１３ｂ…昇圧回路
１３ｃ…整流回路
１３ｄ…コンデンサ
１３ｅ…抵抗
１４…オゾン生成ユニット
１４ａ…挿入孔
１４ｂ…ファン
１４ｃ…保持部材
１４ｄ…金属針（第１電極部材）
１４ｅ…先端部
１４ｆ…金網（第２電極部材）
ＰＳ…商用電源
ＧＮＤ…接地
ＰＲ…白米
ＲＢ…米糠
【図１】
2015128759.tif 000003
【図２】
2015128759.tif 000004